(57)【特許請求の範囲】
【請求項１】
使用料金をユーザに課す形態で運用されるコピー装置であって、
セットされた原稿を読み取って当該原稿上の画像を表す画像データを生成する原稿読取手段と、
与えられた画像データに応じた印刷を用紙上に行う印刷手段と、
ユーザが操作可能な複数のボタンを有する情報入力手段と、
機能状態と機能停止状態を選択的にとり、機能状態にあるときに限り、前記情報入力手段の前記複数のボタンに対して行なわれた操作内容に基づいて、コピー条件を認識し、認識したコピー条件でのコピーが行われるように前記原稿読取手段と前記印刷手段とを制御する制御処理を実行するコピー制御手段と、
前記コピー制御手段の状態が機能停止状態である場合には、前記情報入力手段に対してなされる操作内容を監視して、前記情報入力手段に対して所定の操作がなされたときに前記コピー制御手段の状態を機能状態に移行させ、前記コピー制御手段の状態が機能状態である場合には、前記情報入力手段に対してなされる操作内容を監視するとともに、前記コピー制御手段によって認識された前記コピー条件に含まれる、使用料金の算出に必要とされる条件に関する情報を収集し、前記情報入力手段に対してコピーの終了を意味する操作がなされたときに前記コピー制御手段の状態を機能停止状態に移行させる状態管理手段と、
他装置との間で情報交換を行なうための通信処理手段と、
１つ以上の識別情報を記憶するための識別情報記憶手段と、
前記通信処理手段によって識別情報生成要求が受信されたときに、所定規則に従って識別情報を生成し、生成した識別情報を前記識別情報記憶手段内に格納するとともに、当該識別情報を前記識別情報生成要求の送信元に宛てて送信する識別情報生成手段と
を備え、
前記状態管理手段が、
前記コピー制御手段の状態が機能停止状態である場合には、前記情報入力手段に対して前記識別情報記憶手段に記憶されたいずれかの識別情報を入力する操作がなされたときに、前記コピー制御手段の状態を機能状態に移行させ、その後，前記コピー制御手段の状態を機能停止状態に移行させる場合には、前記情報入力手段を介して入力された識別情報を前記識別情報記憶手段から消去する手段である
ことを特徴とするコピー装置。
【請求項２】
前記状態管理手段は、前記コピー制御手段の状態を機能停止状態に移行させる際には、収集した情報に基づき使用料金を算出し、その使用料金が印字された用紙を前記印刷手段に印刷させる
ことを特徴とする請求項１記載のコピー装置。
【請求項３】
前記状態管理手段は、前記コピー制御手段の状態を機能停止状態に移行させる際には、収集した情報に基づき使用料金を算出し、その使用料金を表すバーコードが印字された用紙を前記印刷手段に印刷させる
ことを特徴とする請求項１又は請求項２に記載のコピー装置。
【請求項４】
スキャナ及びプリンタと接続されたコンピュータを、
ユーザが操作可能な複数のボタンを有する情報入力手段と、
機能状態と機能停止状態を選択的にとり、機能状態にあるときに限り、前記情報入力手段の前記複数のボタンに対して行なわれた操作内容に基づいて、コピー条件を認識し、認識したコピー条件でのコピーが行われるように前記スキャナと前記プリンタとを制御する制御処理を実行するコピー制御手段と、
前記コピー制御手段の状態が機能停止状態である場合には、前記情報入力手段に対してなされる操作内容を監視して、前記情報入力手段に対して所定の操作がなされたときに前記コピー制御手段の状態を機能状態に移行させ、前記コピー制御手段の状態が機能状態である場合には、前記情報入力手段に対してなされる操作内容を監視するとともに、前記コピー制御手段によって認識された前記コピー条件に含まれる、使用料金の算出に必要とされる条件に関する情報を収集し、前記情報入力手段に対してコピーの終了を意味する操作がなされたときに前記コピー制御手段の状態を機能停止状態に移行させる状態管理手段と、
他装置との間で情報交換を行なうための通信処理手段と、
１つ以上の識別情報を記憶するための識別情報記憶手段と、
前記通信処理手段によって識別情報生成要求が受信されたときに、所定規則に従って識別情報を生成し、生成した識別情報を前記識別情報記憶手段内に格納するとともに、当該識別情報を前記識別情報生成要求の送信元に宛てて送信する識別情報生成手段と
を備え
前記状態管理手段が、
前記コピー制御手段の状態が機能停止状態である場合には、前記情報入力手段に対して前記識別情報記憶手段に記憶されたいずれかの識別情報を入力する操作がなされたときに、前記コピー制御手段の状態を機能状態に移行させ、その後，前記コピー制御手段の状態を機能停止状態に移行させる場合には、前記情報入力手段を介して入力された識別情報を前記識別情報記憶手段から消去する手段である
装置として動作させるプログラムが記録されたコンピュータ読取可能な記録媒体。
【発明の詳細な説明】
【０００１】
【発明の属する技術分野】
本発明は、コピー装置と、スキャナ，プリンタ及びコンピュータからなるシステムをコピー装置として動作させるためのコンピュータ読取可能な記録媒体とに関する。
【０００２】
【従来の技術】
周知のように、コンビニエンスストアや図書館等には、課金機能を有する（使用料金を徴収できる形態で運用できる）コピー装置が設置されている。そのような課金機能を有するコピー装置としては、投入された硬貨の種類を判別できる機器が接続されており、その機器に硬貨を投入しておかなければコピーが行えず、コピーを行った場合には、当該機器に投入したおいた硬貨から使用料金を徴収するコピー装置が、知られている。また、コピーカウンタを挿入しなければ、コピーが行えず、コピーを行った場合には、挿入されているコピーカウンタにコピー枚数が記録されるコピー装置も、知られている。なお、このコピー装置は、ユーザが、レジ係員等からコピーカウンタを借り受け、コピーの実行後、レジ係員に、コピーカウンタを返却するとともに、そのカウント値に応じた金額を支払う形で運用される。
【０００３】
【発明が解決しようとする課題】
上記したように、課金機能を有する従来のコピー装置は、いずれも、課金機能を有さない通常のコピー装置に、特殊なハードウェアを付加した装置となっている。このため、課金機能を有する従来のコピー装置は、通常のコピー装置に比して、高価なものとなっていた。
【０００４】
そこで、本発明の課題は、課金機能を有さない装置の価格と同程度の価格で実現できる、課金機能を有するコピー装置を、提供することにある。
【０００５】
また、本発明の他の課題は、スキャナ，プリンタ及び特殊なハードウェアを備えないコンピュータからなるシステムを、課金機能を有するコピー装置として動作させるためのコンピュータ読取可能な記録媒体を、提供することにある。
【０００６】
【課題を解決するための手段】
上記課題を解決するために、本発明では、コピー装置を、セットされた原稿を読み取って当該原稿上の画像を表す画像データを生成する原稿読取手段と、与えられた画像データに応じた印刷を用紙上に行なう印刷手段と、ユーザが操作可能な複数のボタンを有する情報入力手段と、機能状態と機能停止状態を選択的にとり、機能状態にあるときに限り、情報入力手段の複数のボタンに対して行なわれた操作内容に基づいて、コピー条件を認識し、認識したコピー条件でのコピーが行われるように原稿読取手段と印刷手段とを制御する制御処理を実行するコピー制御手段と、コピー制御手段の状態が機能停止状態である場合には、情報入力手段に対してなされる操作内容を監視し、所定の操作がなされたときに、コピー制御手段の状態を機能状態に移行させ、コピー制御手段の状態が機能状態である場合には、情報入力手段に対してなされる操作内容を監視するとともに、コピー制御手段によって認識されたコピー条件に含まれる、使用料金の算出に必要とされる条件に関する情報を収集し、情報入力手段に対してコピーの終了を意味する操作がなされたときに、コピー制御手段の状態を機能停止状態に移行させる状態管理手段と,他装置との間で情報交換を行なうための通信処理手段と、１つ以上の識別情報を記憶するための識別情報記憶手段と、通信処理手段によって識別情報生成要求が受信されたときに、所定規則に従って識別情報を生成し、生成した識別情報を識別情報記憶手段内に格納するとともに、当該識別情報を、識別情報生成要求の送信元に宛てて送信する識別情報生成手段とを備え、状態管理手段が、コピー制御手段の状態が機能停止状態である場合には、前記情報入力手段に対して前記識別情報記憶手段に記憶されたいずれかの識別情報を入力する操作がなされたときに、前記コピー制御手段の状態を機能状態に移行させ、その後，前記コピー制御手段の状態を機能停止状態に移行させる場合には、前記情報入力手段を介して入力された識別情報を前記識別情報記憶手段から消去する手段である装置として構成しておく。
【０００７】
すなわち、本発明のコピー装置では、情報入力手段に対して所定の操作がなされたときに、コピー制御手段の状態が機能停止状態から機能状態に移行し、その結果としてコピーが行なえる状態が形成される。そして、コピーが行なえる状態にあるときには、使用料金の算出に必要とされる条件に関する情報が収集され、情報入力手段に対してコピーの終了を意味する操作がなされたときに、コピー制御手段の状態が機能停止状態とされる。従って、コピーが行なえる状態にあるときに収集された、使用料金の算出に必要とされる条件に関する情報、或いは、その情報に基づき算出された使用料金が、何らかの方法で出力できるようにしておけば、本コピー装置の使用に対して、その使用内容に応じた料金を課することができることになる。
【０００８】
そして、このコピー装置は、ほぼ、既存の，通信機能を有するコピー装置に、状態管理手段を追加するだけで実現できるものとなっており、状態管理手段の追加は、既存のコピー装置が備える、コピー制御手段相当の手段を、わずかに改良するだけで、特殊なハードウェアを追加することなく、行なうことができる。従って、このコピー装置の構成を採用すれば、課金機能を有さない装置の価格と同程度の価格で、課金機能を有するコピー装置が製造できることになる。
【０００９】
なお、本発明のコピー装置の構成要素である情報入力手段は、機械的なボタンを備えるものであっても良く、ソフトキーボード（タッチスクリーン等にソフトウェアによって表示されたボタン）を備えるものであっても良い。また、識別情報生成手段が識別情報を生成する際に従う所定規則は、乱数を発生させ、その結果に基づき識別情報を生成するといったものであっても良く、多数の識別情報のリストの中から順に（或いはランダムに）識別情報を選択するといったものであっても良い。
【００１０】
また、状態管理手段によって収集された使用料金の算出に必要とされる条件に関する情報、或いは、その情報に基づき算出された使用料金を出力させるための構成としてはさまざまなものを採用することができる。
【００１１】
例えば、状態管理手段を、コピー制御手段の状態を機能停止状態に移行させる際には、収集した情報に基づき使用料金を算出し、その使用料金が印字された用紙を印刷手段に印刷させる手段としておくことや、コピー制御手段の状態を機能停止状態に移行させる際には、収集した情報に基づき使用料金を算出し、その使用料金を表すバーコードが印字された用紙を印刷手段に印刷させる手段としておくことができる。状態管理手段を、後者のものとしておいた場合、ＰＯＳ端末が用いられている場所での使用に適したコピー装置が得られることになる。
【００１２】
また、本発明のコピー装置を実現するに際して、１つ以上の識別情報と、各識別情報に関する利用状況情報とを記憶するための情報記憶手段を付加し、状態管理手段として、コピー制御手段の状態が機能停止状態であるときには、情報入力手段に対して情報記憶手段に記憶されたいずれかの識別情報を入力する操作がなされたときに、コピー制御手段の状態を機能状態に移行させ、コピー制御手段の状態を機能停止状態に移行させる際には、収集した情報を、情報記憶手段内に記憶された、情報入力手段を介して入力された識別情報に関する利用状況情報に含ませるものを用いておくこともできる。
【００１３】
このような構成を採用すれば、同じ識別情報を用いてコピー可能な状態とされた後に行なわれた全てのコピー作業への課金に必要な情報が、利用状況情報として、情報記憶手段に保存されることになる。従って、本構成を採用すれば、同一部署に属する複数のユーザによる使用に対して、一ヶ月毎に課金を行なうといった形態での運用が行なえるコピー装置が得られることになる。
【００１４】
本発明のコピー装置を実現するに際しては、１つ以上の識別情報を記憶するための識別情報記憶手段と、情報入力手段に対してなされる操作内容に応じて、識別情報記憶手段内に、１つ以上の識別情報が記憶された状態を形成する識別情報更新手段とを付加するとともに、状態管理手段として、コピー制御手段の状態が機能停止状態であるときには、情報入力手段に対して識別情報記憶手段に記憶されたいずれかの識別情報を入力する操作がなされたときに、コピー制御手段の状態を機能状態に移行させる手段を用いることができる。
【００１５】
このようにコピー装置を構成しておけば、各識別情報の有効期間を任意に設定できることになるので、料金を払わないことを目的とした使用が困難なコピー装置を実現できることになる。
【００２１】
本発明のコンピュータ読取可能な記録媒体は、スキャナ及びプリンタと接続されたコンピュータを、ユーザが操作可能な複数のボタンを有する情報入力手段と、機能状態と機能停止状態を選択的にとり、機能状態にあるときに限り、情報入力手段の複数のボタンに対して行なわれた操作内容に基づき、コピー条件を認識し、認識したコピー条件でのコピーが行われるようにスキャナとプリンタとを制御するコピー制御手段と、コピー制御手段の状態が機能停止状態である場合には、情報入力手段に対してなされる操作内容を監視し、所定の操作がなされたときに、コピー制御手段の状態を機能状態に移行させ、コピー制御手段の状態が機能状態である場合には、情報入力手段に対してなされる操作内容を監視するとともに、コピー制御手段によって認識されたコピー条件に含まれる、使用料金の算出に必要とされる条件に関する情報を収集し、情報入力手段に対してコピーの終了を意味する操作がなされたことを検出したときには、コピー制御手段の状態を機能停止状態に移行させる状態管理手段と、他装置との間で情報交換を行なうための通信処理手段と、１つ以上の識別情報を記憶するための識別情報記憶手段と、通信処理手段によって識別情報生成要求が受信されたときに、所定規則に従って識別情報を生成し、生成した識別情報を識別情報記憶手段内に格納するとともに、当該識別情報を識別情報生成要求の送信元に宛てて送信する識別情報生成手段とを備え、状態管理手段が、コピー制御手段の状態が機能停止状態である場合には、情報入力手段に対して識別情報記憶手段に記憶されたいずれかの識別情報を入力する操作がなされたときに、コピー制御手段の状態を機能状態に移行させ、その後，前記コピー制御手段の状態を機能停止状態に移行させる場合には、情報入力手段を介して入力された識別情報を識別情報記憶手段から消去する手段である装置として動作させるためのプログラムが記録されて成る。
【００２２】
従って、このコンピュータ読取可能な記録媒体を用いれば、本発明のコピー装置に相当するスキャナ、プリンタ及びコンピュータからなる装置を実現できることになる。
【００２５】
【発明の実施の形態】
以下、図面を参照して、本発明の実施の形態を説明する。
【００２６】
＜第１実施形態＞
本発明の第１実施形態に係るコピー装置は、コンビニエンスストア等、ＰＯＳ(point-of-sale)端末が用いられた場所に設置されることを想定した装置である。まず、図１及び図２を用いて、第１実施形態に係るコピー装置のハードウェア構成を説明する。
【００２７】
図１に示したように、第１実施形態に係るコピー装置１０は、コピー制御装置１１、操作装置１２、スキャナ１３、プリンタ１４及び専用キャビネット１５から、構成されている。
【００２８】
スキャナ１３及びプリンタ１４は、共に、コンピュータの周辺機器として、一般に市販されている機器である。操作装置１２は、ユーザから、コピー条件の指定指示やコピーの開始指示を受けるための装置である。操作装置１２は、液晶パネルとその上に重ねたタッチパネルとからなるタッチスクリーン１２１、スタートボタン１２２、ストップボタン１２３、１０個の数値キーを含むテンキー部１２４等を備えている。専用キャビネット１５は、図１に示したような構成のコピー装置１０を構築するために、コピー制御装置１１及び操作装置１２のオプションとして用意されているキャビネットであり、操作装置１２を取り付けられる形状を有している。なお、本実施形態で係るコピー装置１０では、スキャナ１３、プリンタ１４、操作装置１２が、それぞれ、原稿読取手段、印刷手段、情報入力手段として機能する。
【００２９】
コピー制御装置１１は、操作装置１２、スキャナ１３及びプリンタ１４を統合的に制御するための装置であり、コピー制御手段、状態管理手段等として機能する。コピー制御装置１１は、図２に示したように、ＣＰＵバス３５で相互に接続されたＣＰＵ２１、ＲＯＭ２２、ＲＡＭ２３及びブリッジ２４を備える。また、コピー制御装置１１は、ブリッジ２４に汎用バス（ＰＣＩバス）３６を介して接続されたＨＤＤコントローラ２５、操作パネル用Ｉ／Ｆボード２６、スキャナ用Ｉ／Ｆボード２７及びプリンタ用Ｉ／Ｆボード２８、並びに、ＨＤＤコントローラ２５に接続されたＨＤＤ（ハードディスクドライブ）３０を備える。
【００３０】
ブリッジ２４は、ＣＰＵバス３５と汎用バス３６との間のインタフェース回路である。ＨＤＤコントローラ２５は、ＨＤＤ３０の制御回路（ＨＤＤ３０と汎用バス３６との間のインタフェース回路）である。操作装置用Ｉ／Ｆボード２６は、ＣＰＵ２１による操作装置１２の制御を可能とするためのインタフェースボードである。操作装置用Ｉ／Ｆボード２６には、操作装置１２に含まれる各種デバイス（タッチスクリーン１２１、テンキー部１２４等）用の入出力制御回路が、含まれている。スキャナ用Ｉ／Ｆボード２７、プリンタ用Ｉ／Ｆボード２８は、それぞれ、ＣＰＵ２１によるスキャナ１３、プリンタ１４の制御を可能とするためのインタフェースボードである。
【００３１】
ＲＯＭ２２は、コピー制御装置１１を構成しているハードウェアを制御するためのＢＩＯＳ等が記憶された不揮発性記憶装置である。ＨＤＤ３０は、オペレーティングシステム、各種ドライバ（スキャナ１３を制御するためのスキャナドライバ、プリンタ１４を制御するためのプリンタドライバ）、コピー制御プログラム、ＩＤ番号ファイル４０及びコピー単価情報ファイル４１等が格納された補助記憶装置である。ＣＰＵ２１は、これらの記憶装置に格納された各種のプログラムをＲＡＭ２３上に読み出し、読み出したプログラムに従って、コピー制御装置１１内の各部を統合的に制御する回路である。
【００３２】
すなわち、本コピー装置１０に含まれるコピー制御装置１１は、コピー制御プログラム、ＩＤ番号ファイル４０及びコピー単価情報ファイル４１がインストールされた、一種のコンピュータとなっている。
【００３３】
以下、第１実施形態に係るコピー装置１０の動作（コピー制御プログラムに従ったＣＰＵ２１による制御動作）を説明する。なお、以下の説明では、スキャナ１３が、Ａ３までの原稿のカラー読込が行なえる機器であり、プリンタ１４が、複数の用紙カセットを有し、Ａ３までの原稿にカラー印刷が行なえる機器であるものとする。
【００３４】
まず、ＨＤＤ３０内に格納されているＩＤ番号ファイル４０、コピー単価情報ファイル４１の説明を行なう。
【００３５】
ＩＤ番号ファイル４０は、幾つかのＩＤ番号（１〜８桁の数値データ）を記憶しておくためのファイルである。詳細は後述するが、コピー装置１０は、このＩＤ番号ファイル４０内のいずれかのＩＤ番号と一致するデータが入力されたときに、操作装置１２に対する操作内容に応じて原稿のコピーを生成するコピー操作受付モードでの動作（一般のコピー機と同じ動作）を開始するように構成されている。
【００３６】
コピー単価情報ファイル４１は、課金レベルコピー条件を示す条件データと、その課金レベルコピー条件に合致したコピー条件でコピーを行ったユーザに課する料金を示す単価データ（或いは料金が設定されていないことを示す単価データ）とからなるコピー単価情報を、複数種類の課金レベルコピー条件のそれぞれに対して、記憶しておくためのファイルである。ここで、課金レベルコピー条件とは、カラーコピーモード、モノクロコピーモードのいずれのコピーモードでコピーが行われるかの区別と、コピー結果として出力される用紙のサイズとで定まる条件のことである。
【００３７】
ＨＤＤ３０内のＩＤ番号ファイル４０及びコピー単価情報ファイル４１は、初期状態（コピー制御装置１１の製造直後の状態）においては、共に、内容のないファイルとなっている。このため、コピー装置１０（コピー制御装置１１）には、ＩＤ番号ファイル４０を編集するためのＩＤ番号登録処理、コピー単価情報ファイル４１を編集するためのコピー単価情報設定処理を実行する機能が付与されている。また、コピー装置１０は、操作装置１２に設けられている所定のボタンが押下された状態で電源が投入されたとき（以下、“管理者モードで起動されたとき”と表記する）に、これらの機能が利用できるように構成されている。
【００３８】
具体的には、管理者モードで起動されたとき、コピー装置１０（コピー制御装置１１内のＣＰＵ２１）は、図３に示したように、まず、状態診断処理(ステップＳ１０１）を実行する。
【００３９】
この状態診断処理時、ＣＰＵ２１は、コピー制御装置１１内の各部が正常に動作可能な状態にあるか、スキャナ１３及びプリンタ１４が動作可能な状態にあるか等を、検査する。異常な状態にあるハードウェアを検出した場合、ＣＰＵ２１は、その旨を示すメッセージが表示されるように、操作装置用Ｉ／Ｆボード２６等を介してタッチスクリーン１２１（液晶パネル）を制御する。そして、ＣＰＵ２１は、異常状態を解消するための作業がなされるのを待機する。
【００４０】
一方、各部が正常に機能していることが確認できた場合、ＣＰＵ２１は、コピー制御装置１１に接続されているスキャナ１３及びプリンタ１４の機種を、認識する。次いで、ＣＰＵ２１は、その認識結果に基づき、コピー制御装置１１に接続されているスキャナ１３及びプリンタ１４によって実行可能なコピー処理の課金レベルコピー条件を全て特定する。すなわち、プリンタ１４によって利用可能な全ての用紙のサイズ（実際に用紙カセット等に設定されているか否かは問わない）を把握するとともに、スキャナ１３とプリンタ１４の組み合わせでカラーコピーが可能であるか否かを把握することによって、スキャナ１３及びプリンタ１４によって実行可能なコピー処理の課金レベルコピー条件を全て特定する。そして、ＣＰＵ２１は、コピー単価情報ファイル４１内に、特定した全ての課金レベルコピー条件に関するコピー単価情報が含まれているかを検査する。
【００４１】
コピー単価情報ファイル４１が、特定した全ての課金レベルコピー条件に関するコピー単価情報を含むものでなかった場合、ＣＰＵ２１は、不足しているコピー単価情報を、コピー単価情報ファイル４１に追加する。なお、この際に、追加されるコピー単価情報は、料金が設定されていないことを示す単価データを含むものである。そして、ＣＰＵ２１は、状態診断処理を終了する。
【００４２】
すなわち、本コピー装置１０では、例えば、内容のないコピー単価情報ファイル４１がＨＤＤ３０に格納されていた場合（初めて起動された場合）、このステップＳ１０１（或いは後述するステップＳ４０１）が実行されることにより、コピー単価情報ファイル４１に、コピー制御装置１１に接続されているスキャナ１３及びプリンタ１４の組み合わせで実行可能な各コピー処理に関するコピー単価情報（料金が設定されていないことを示す単価データを含むもの）が、追加される。また、コピー装置１０の実際の運用が、一旦、開始された後、スキャナ１３或いはプリンタ１４が交換されることにより実行可能なコピー処理の種類が増えた場合には、ステップＳ１０１（或いはステップＳ４０１）において、コピー単価情報ファイル４１に、実行可能となったコピー処理に関するコピー単価情報が追加される。
【００４３】
状態診断処理の終了後、ＣＰＵ２１は、タッチスクリーン１２１に課金情報設定画面を表示させる(ステップＳ１０２）。このステップＳ１０２で表示される課金情報設定画面は、図４に示したように、コピー装置１０の管理者が、ＩＤ番号登録処理の開始指示、コピー単価設定処理の開始指示、課金情報設定処理の終了指示のいずれかを出せるものとなっている。
【００４４】
課金情報設定画面の表示後、ＣＰＵ２１は、管理者がいずれかの指示を入力する（テンキー部１２４を構成している数値キー“１”、“２”或いは“９”が押下される）のを待機する(図３：ステップＳ１０３）。そして、数値キー“２”が押下された場合、すなわち、コピー単価設定処理の実行が指示された場合(ステップＳ１０４：単価設定）、ＣＰＵ２１は、コピー単価設定処理(ステップＳ１０５）を実行する。その後、ＣＰＵ２１は、ステップＳ１０２に戻り、タッチスクリーン１２１に課金情報設定画面を再び表示させる。また、数値キー“１”が押下された場合、すなわち、ＩＤ番号登録処理の実行が指示された場合(ステップＳ１０４：番号登録）、ＣＰＵ２１は、ＩＤ番号登録処理(ステップＳ１０６）を実行した後、ステップＳ１０２に戻る。
【００４５】
以下、コピー単価設定処理、ＩＤ番号登録処理の詳細を説明する。まず、図５及び図６を用いて、コピー単価設定処理の説明を行なう。
【００４６】
コピー単価設定処理は、コピー単価情報ファイル４１に含まれている各コピー単価情報内の単価データが、管理者の指示に従って（タッチスクリーン１２１に対する操作内容に応じて）変更される処理である。図５に示したように、コピー単価設定処理開始時、ＣＰＵ２１は、ＨＤＤ３０に格納されているコピー単価情報ファイル４１内の全てのコピー単価情報（条件データと単価データとからなる情報）を読み出し、読み出したコピー単価情報のリストであるコピー単価情報リストを、ＲＡＭ２３上に作成する(ステップＳ２０１）。以下、説明の便宜上、ＲＡＭ２３上に作成されたコピー単価情報リスト内のコピー単価情報の総数を、Ｍmaxと表記し、コピー単価情報リスト内のＭmax個のコピー単価情報を、先頭側から、それぞれ、コピー単価情報＃１〜＃Ｍmaxと表記する。
【００４７】
コピー単価情報リストの作成後、ＣＰＵ２１は、そのコピー単価情報リスト内の幾つかのコピー単価情報が示されたコピー単価設定画面が表示されるように、タッチスクリーン１２１を制御する(ステップＳ２０２）。
【００４８】
図６に示したように、コピー単価設定処理時に表示されるコピー単価設定画面５０は、コピー単価情報表示領域５１1〜５１4と、２種のスクロールボタン５２ｕ及び５２ｄと、キャンセルボタン５３と、終了ボタン５４とを備えている。なお、この図に示したコピー単価設定画面５０は、コピー単価（単価データ）の設定が完了している場合に表示されるものである。各コピー単価情報が、料金が設定されていないことを示す単価データを含むものであった場合、コピー単価設定画面５０は、図６において、“１００”、“２０”等が示されている部分に何も示されないものとなる。
【００４９】
ステップＳ２０２において、ＣＰＵ２１は、コピー単価情報表示領域５１1〜５１4内に、それぞれ、コピー単価情報＃１〜＃４（コピー単価情報リストの１番目〜４番目のコピー単価情報）が示されたコピー単価設定画面５０を、タッチスクリーン１２１に表示させる。ただし、Ｍmax＜４であった場合（印刷可能な用紙サイズの種類が少なく、カラーコピーが行えない場合に、Ｍmax＜４となる）、ＣＰＵ２１は、ステップＳ２０２において、コピー単価情報表示領域５１1〜５１Mmax内に、それぞれ、コピー単価情報＃１〜＃Ｍmaxが含まれたコピー単価設定画面５０が表示されるように、タッチスクリーン１２１等を制御する。
【００５０】
コピー単価設定画面５０の表示後、ＣＰＵ２１は、タッチスクリーン１２１或いはテンキー部１２４に対する操作が行われるのを待機する(ステップＳ２０３)。このステップＳ２０３において、キャンセルボタン５３の押下及び終了ボタン５４の押下のいずれでもない操作が行なわれたことを検出した場合、ＣＰＵ２１は、続くステップＳ２０４において“その他”側へ分岐する。そして、ＣＰＵ２１は、検出した操作内容、及び、その時点における状況に応じた処理を実行する(ステップＳ２０５）。
【００５１】
具体的には、コピー単価情報表示領域５１X（Ｘは、１〜４のいずれか）が押下されたことを検出した場合、ＣＰＵ２１は、ステップＳ２０５において、以下の処理を行なう。
【００５２】
ＣＰＵ２１は、その時点における入力モードが、通常入力モード、単価入力モードのいずれであるかを判別する。なお、通常入力モードが、コピー単価設定処理の初期入力モードである。そして、入力モードが通常入力モードであった場合、ＣＰＵ２１は、押下されたコピー単価情報表示領域５１Xを強調表示させるための制御を行なうとともに、単価入力モードとなったことを記憶する。また、入力モードが単価入力モードであった場合、ＣＰＵ２１は、押下されたコピー単価情報表示領域５１Xが強調表示されている領域であるか否かを判断する。そして、コピー単価情報表示領域５１Xが強調表示されている領域であった場合、ＣＰＵ２１は、コピー単価情報表示領域５１Xの表示形態を通常のものに戻す制御を行なうと共に、通常入力モードとなったことを記憶する。一方、コピー単価情報表示領域５１Xが強調表示されていない領域であった場合（この場合、他のコピー単価情報表示領域５１が強調表示されている）、ＣＰＵ２１は、強調表示されているコピー単価情報表示領域５１W（Ｗ≠Ｘ）の表示形態が通常のものとなり、かつ、コピー単価情報表示領域５１Xが強調表示されるように、タッチスクリーン１２１を制御する。そして、ＣＰＵ２１は、入力モードを単価入力モードに維持したままで、ステップＳ２０５を終了する。
【００５３】
テンキー部１２４内のいずれかの数値キーが押下された場合、ＣＰＵ２１は、ステップＳ２０５において、入力モードが通常入力モードであるか単価入力モードであるかを判断する。そして、入力モードが通常入力モードであった場合には、ステップＳ２０５を終了する。一方、入力モードが単価入力モードであった場合、ＣＰＵ２１は、以下の処理を行なう。
【００５４】
まず、ＣＰＵ２１は、ユーザが押下した数値キーに応じて、ＲＡＭ２３上に生成してあるコピー単価情報リスト内の、強調表示されているコピー単価情報表示領域５１Xに示されているコピー単価情報＃ｙの単価データを、変更する。より具体的には、ステップＳ２０５の開始時におけるコピー単価情報＃ｙの単価データがＰであり、管理者によって押下された数値キーに割り当てられている数値がＺであった場合、ＣＰＵ２１は、コピー単価情報リスト内のコピー単価情報＃ｙの単価データを、数値"１０×Ｐ＋Ｚ"を示すものに変更する。なお、ＣＰＵ２１は、単価入力モードに移行した後、最初に押下を検出した数値キーに対しては、コピー単価情報＃ｙの単価データを、数値"Ｚ"を示すものに変更する（Ｐ＝０として単価データの変更を行なう）。次いで、ＣＰＵ２１は、変更後の単価データがコピー単価情報表示領域５１X内に表示されるようにタッチスクリーン１２１を制御する。そして、ＣＰＵ２１は、ステップＳ２０５を終了する。
【００５５】
すなわち、本コピー装置１０では、管理者が、図６に示したコピー単価設定画面５０上のコピー単価情報表示領域５１1を指で触れた場合、単価データ“１００”がクリアされることなく、コピー単価情報表示領域５１1の表示形態が変更される。そして、管理者が、例えば、数値キー“２”を押下した場合には、コピー単価情報リスト内の対応する単価データが“２”に変更されるとともに、コピー単価情報表示領域５１1内に表示されているコピー単価“１００”が“２”に変更される。その後、管理者が、数値キー“０”を２回押下した場合には、コピー単価情報リスト内の対応する単価データが“２０”に変更された後、“２００”に変更される。そして、コピー単価情報表示領域５１1内のコピー単価も、“２０”に変更された後、“２００”に変更される。
【００５６】
スクロールボタン５２ｄが押下された場合(ステップＳ２０４；その他）、ＣＰＵ２１は、ステップＳ２０５において、通常入力モードにあることを確認した上で、それまでコピー単価情報表示領域５１2〜５１4に表示されていた３つのコピー単価情報＃ｍ〜＃(ｍ＋２)（ｍ≧２）が、それぞれ、コピー単価情報表示領域５１1〜５１3に表示され、コピー単価情報＃(ｍ＋３)が、コピー単価情報表示領域５１4に表示されるように、タッチスクリーン１２１を制御する。また、スクロールボタン５２ｕが押下された場合、ＣＰＵ２１は、ステップＳ２０５において、やはり、通常入力モードにあることを確認した上で、それまでコピー単価情報表示領域５１1〜５１3に表示されていた３つのコピー単価情報＃ｍ〜＃(ｍ＋２)（ｍ≧２）が、それぞれ、コピー単価情報表示領域５１2〜５１4に表示され、コピー単価情報＃(ｍ−１)が、コピー単価情報表示領域５１1に表示されるように、タッチスクリーン１２１を制御する。
【００５７】
なお、単価入力モードにあるときに、スクロールボタン５２ｄ或いはスクロールボタン５２ｕが押下された場合、ＣＰＵ２１は、何も行なうことなく（単価入力モードにあることを認識しただけで）ステップＳ２０５を終了する。また、コピー単価情報＃Ｍmaxが既にコピー単価設定画面５０内に表示されている状態で、スクロールボタン５２ｄが押下された場合、及び、コピー単価情報＃１が既にコピー単価設定画面５０内に表示されている状態で、スクロールボタン５２ｕが押下された場合、ＣＰＵ２１は、入力モードが通常入力モードであっても、スクロールを行なうことなくステップＳ２０５を終了する。
【００５８】
終了ボタン５４が押下された場合(ステップＳ２０４：終了ボタン押下）、ＣＰＵ２１は、入力モードが何であっても、コピー単価情報ファイル４１を、その時点におけるコピー単価情報リストの内容に則したものに変更(ステップＳ２０６）して、コピー単価設定処理を終了する。また、キャンセルボタン５３が押下された場合、ＣＰＵ２１は、入力モードが何であっても、コピー単価情報ファイル４１の内容更新を行なうことなく、コピー単価設定処理を終了する。
【００５９】
次に、図７及び図８を用いて、ＩＤ番号登録処理の説明を行なう。
【００６０】
図７に示したように、ＩＤ番号登録処理時、ＣＰＵ２１は、まず、ＩＤ番号ファイル４０内に保持されている全てのＩＤ番号を読み出し、読み出したＩＤ番号のリストであるＩＤ番号リストを、ＲＡＭ２３上に作成する(ステップＳ２０１）。次いで、ＣＰＵ２１は、そのＩＤ番号リスト内のＩＤ番号を含むＩＤ番号登録画面が表示されるように、タッチスクリーン１２１等を制御する(ステップＳ３０２）。
【００６１】
図８に示したように、ＩＤ番号登録画面６０は、ＩＤ番号（“１２３４５６”等）が表示されるＩＤ番号表示領域６１1〜６１5、２種のスクロールボタン６２ｕ及び６２ｄ、追加ボタン６３、変更ボタン６４、削除ボタン６５、終了ボタン６６及びキャンセルボタン６７を備える。なお、この図に示したＩＤ番号登録画面６０は、ＩＤ番号ファイル４０が５個のＩＤ番号を保持していたときに表示されるものである。ＩＤ番号ファイル４０がＫ個（１≦Ｋ＜５）のＩＤ番号を保持していた場合、ＩＤ番号表示領域６１1〜６１KにそれらのＩＤ番号が示されたＩＤ番号登録画面６０が表示される。また、ＩＤ番号ファイル４０がＩＤ番号を１個も保持していなかった場合、ＩＤ番号表示領域６１1〜６１5内に何も示されていないＩＤ番号登録画面６０が表示される。
【００６２】
ＩＤ番号登録画面６０の表示後、ＣＰＵ２１は、タッチスクリーン１２１或いはテンキー部１２４に対する操作が行われるのを待機する(ステップＳ３０３)。そして、ステップＳ３０３で検出した操作が、終了ボタン６６、キャンセルボタン６７の押下以外の操作であった場合(ステップＳ３０４；その他）、ＣＰＵ２１は、検出した操作内容とその時点における状況に応じた処理を実行する(ステップＳ３０５）。
【００６３】
具体的には、ＩＤ番号表示領域６１X（Ｘは、１〜５のいずれか）の押下を検出した場合、ＣＰＵ２１は、ステップＳ３０５において、以下の処理を行なう。
【００６４】
まず、ＣＰＵ２１は、押下されたＩＤ番号表示領域６１XをＩＤ番号が示している領域であるか否かを判別する。そして、押下されたＩＤ番号表示領域６１Xが、ＩＤ番号を示していない領域であった場合、ＣＰＵ２１は、ステップＳ３０５を終了する。
【００６５】
一方、押下されたＩＤ番号表示領域６１XがＩＤ番号を示している領域であった場合、ＣＰＵ２１は、ＩＤ番号表示領域６１Xではない領域が強調表示されている状態にあるか、ＩＤ番号表示領域６１Xが強調表示されている状態にあるか、それ以外の状態（強調表示されているＩＤ番号表示領域６１が存在しない状態）にあるかを判別する。そして、強調表示されているＩＤ番号表示領域６１が存在しない状態にあった場合、ＣＰＵ２１は、ＩＤ番号表示領域６１Xを強調表示させるための制御を行って、ステップＳ３０５を終了する。また、ＩＤ番号表示領域６１Xが表強表示されている領域であった場合、ＣＰＵ２１は、そのＩＤ番号表示領域６１Xの表示形態を通常のものに戻すための制御を行なうとともに、通常入力モードになったことを認識して、ステップＳ３０５を終了する。また、ＩＤ番号表示領域６１Xではない領域が強調表示されていた場合、ＣＰＵ２１は、強調表示されているＩＤ番号表示領域６１の表示形態を通常のものに戻すとともに、ＩＤ番号表示領域６１Xを強調表示させるための制御を行なう。そして、ＣＰＵ２１は、ステップＳ３０５を終了する。
【００６６】
変更ボタン６４が押下された場合、ＣＰＵ２１は、ステップＳ３０５において、強調表示されているＩＤ番号表示領域６１が存在するか否かを判断する。そして、強調表示されているＩＤ番号表示領域６１が存在していていた場合、ＣＰＵ２１は、入力モードがＩＤ番号入力モードになったことを記憶して、ステップＳ３０５を終了する。一方、強調表示されているＩＤ番号表示領域６１が存在していなかった場合、ＣＰＵ２１は、入力モードの変更を行なうことなくステップＳ３０５を終了する。
【００６７】
テンキー部１２４内のいずれかの数値キーが押下された場合(ステップＳ３０４；その他）、ＣＰＵ２１は、ステップＳ３０５において、入力モードがＩＤ番号入力モードであるか否かを判断し、ＩＤ番号入力モードでなかった場合には、ステップＳ３０５を終了する。一方、ＩＤ番号入力モードであった場合、ユーザが押下した数値キーに応じて、ＩＤ番号リスト内の、強調表示されているＩＤ番号表示領域６１Xに示されているＩＤ番号＃ｙを変更する。より具体的には、ステップＳ３０５の開始時におけるＩＤ番号＃ｙがＰであり、管理者によって押下された数値キーに割り当てられている数値がＺであった場合、ＣＰＵ２１は、ＩＤ番号リスト内のＩＤ番号＃ｙを、数値"１０×Ｐ＋Ｚ"を示すものに変更する。ただし、ＣＰＵ２１は、ＩＤ番号入力モードに移行した後、最初に押下を検出した数値キーに対しては、Ｐ＝０として、このＩＤ番号＃ｙの変更処理を行なう。また、Ｐ＝０としない場合において、Ｐ（＝ＩＤ番号＃ｙ）が８桁の数値となっていた場合、ＣＰＵ２１は、ＩＤ番号リスト内のＩＤ番号＃ｙの変更を行わない。そして、ＣＰＵ２１は、ＩＤ番号＃ｙの変更を行った場合には、変更後のＩＤ番号＃ｙがＩＤ番号表示領域６１Xに表示されるようにタッチスクリーン１２１を制御して、ステップＳ３０５を終了する。
【００６８】
削除ボタン６５が押下された場合、ＣＰＵ２１は、ステップＳ３０５において、強調表示されているＩＤ番号表示領域６１が存在するか否かを判断する。そして、強調表示されているＩＤ番号表示領域６１Xが存在していた場合、ＣＰＵ２１は、そのＩＤ番号表示領域６１X内に示しているＩＤ番号を、ＩＤ番号リストから消去する。次いで、ＣＰＵ２１は、ＩＤ番号表示領域６１Xの表示形態が通常のものとなり、消去したＩＤ番号に後続しているＩＤ番号リスト内の幾つかのＩＤ番号が、ＩＤ番号表示領域６１X以降の各領域に連続して示されるように、タッチスクリーン１２１を制御して、ステップＳ３０５を終了する。なお、入力モードがＩＤ番号入力モードであった場合、ＣＰＵ２１は、通常入力モードになったことを認識してからステップＳ３０５を終了する。一方、強調表示されているＩＤ番号表示領域６１が存在していなかった場合、ＣＰＵ２１は、ＩＤ番号リストの更新等を行なうことなくステップＳ３０５を終了する。
【００６９】
追加ボタン６３が押下された場合、ＣＰＵ２１は、ステップＳ３０５において、ＩＤ番号リスト内の末尾の４個のＩＤ番号がＩＤ番号表示領域６１1〜６１4に表示され、ＩＤ番号表示領域６１5のみが強調表示されるように（既に強調表示されているＩＤ番号表示領域６１は通常表示に戻す）、タッチスクリーン１２１を制御する。ただし、ＩＤ番号リストに含まれているＩＤ番号の総数Ｋが、１以上、３以下であった場合、ＣＰＵ２１は、この追加ボタン６３の押下に対して、ＩＤ番号＃１〜＃Ｋが、それぞれ、ＩＤ番号表示領域６１1〜６１Kに示され、ＩＤ番号表示領域６１K+1が強調表示されたＩＤ番号登録画面６０が表示されるように、タッチスクリーン１２１を制御する。また、ＩＤ番号リストに含まれているＩＤ番号の総数が、０であった場合、ＣＰＵ２１は、追加ボタン６３の押下に対して、ＩＤ番号表示領域６１1が強調表示されたＩＤ番号登録画面６０が表示されるように、タッチスクリーン１２１を制御する。そして、ＩＤ番号入力モードになったことを記憶して、ステップＳ３０５を終了する。
【００７０】
スクロールボタン６２ｄ、６２ｕが押下された場合のステップＳ３０５の処理については、ステップＳ２０５の処理と同様のものであるので説明を省略する。
【００７１】
そして、終了ボタン５４が押下された場合(ステップＳ３０４：終了ボタン押下）、ＣＰＵ２１は、ＩＤ番号ファイル４１を、その時点におけるＩＤ番号リストの内容に則したものに変更(ステップＳ３０６）して、ＩＤ番号登録処理を終了する。また、キャンセルボタン６７が押下された場合、ＣＰＵ２１は、ＩＤ番号ファイル４１の内容更新を行なうことなく、ＩＤ番号登録処理を終了する。
【００７２】
このように、ＩＤ番号登録処理、コピー単価情報設定処理は、それぞれ、ＩＤ番号ファイル４０、コピー単価情報ファイル４１の内容を、管理者が設定できる処理となっている。本コピー装置１０の運用を開始する際、管理者は、これらの処理を実行させることにより、ＩＤ番号ファイル４０を、少なくとも１つのＩＤ番号を有するものとするとともに、コピー単価情報ファイル４１を、料金を示す単価データを含むコピー単価情報を有するものとしておく。
【００７３】
そして、管理者は、数値キー“９”を押下することによって、課金情報設定処理の終了をコピー装置１０（ＣＰＵ２１）に指示する。この指示を受けた場合（図３：ステップＳ１０４；終了）、ＣＰＵ２１は、通常モードで起動されたときと同じ手順の制御処理（図９のステップＳ４０２からの処理）を開始する。
【００７４】
以下、図９ないし図１１を用いて、コピー装置１０の、通常モードで起動されたときの動作を説明する。
【００７５】
コピー装置１０の電源が単純に投入された場合、コピー装置１０（コピー制御装置１１内のＣＰＵ２１）は、まず、状態診断処理(ステップＳ４０１）を実行する。このステップＳ４０１で行われる状態診断処理は、ステップＳ１０１で行われる状態診断処理と同じものである。
【００７６】
次いで、ＣＰＵ２１は、ＩＤ番号ファイル４０にＩＤ番号が設定されていることを確認する処理である課金関連情報確認処理(ステップＳ４０２）を実行する。図示は省略してあるが、この課金関連情報確認処理において、ＩＤ番号ファイル４０にＩＤ番号が設定されていることを確認できなかった場合（ＩＤ番号ファイル４０が空であった場合）、ＣＰＵ２１は、ステップＳ４０３からの処理ではなく、後述するステップＳ４０８〜Ｓ４１０相当の処理を実行する（一般的なコピー機内のＣＰＵと同じ制御をする）。
【００７７】
ＩＤ番号ファイル４０にＩＤ番号が設定されていることを確認した後、ＣＰＵ２１は、利用状況情報テーブルを初期化する(ステップＳ４０３)。利用状況情報テーブルは、利用状況情報（課金レベルコピー条件別にコピーが行なわれた枚数を示す情報を含む情報）を記憶するための、ＲＡＭ２３上のテーブルである。このステップＳ４０２において、ＲＡＭ２３上に利用状況情報テーブルが存在していなかった場合、ＣＰＵ２１は、内容のない利用状況情報テーブルを作成する。また、ＲＡＭ２３上に利用状況情報テーブルが存在していた場合、ＣＰＵ２１は、その利用状況情報テーブルの内容をクリアする。
【００７８】
その後、ＣＰＵ２１は、ＩＤ番号入力画面が表示されるように、タッチスクリーン１２１等を制御(ステップＳ４０４)し、ユーザによってＩＤ番号が入力されるのを待機する(ステップＳ４０５)。
【００７９】
図１０に、ステップＳ４０４で表示されるＩＤ番号入力画面を示す。図示したように、ＩＤ番号入力画面７０は、ＩＤ番号表示領域７１と確定ボタン７２とを含む画面となっており、ステップＳ４０５において、ＣＰＵ２１は、テンキー部１２４の操作内容に応じた数値データを、ＩＤ番号表示領域７１内に表示させる処理（制御）を行なう。そして、確認ボタン７２が押下されたことを検出したときに、ＣＰＵ２１は、その時点においてＩＤ番号表示領域７１内に表示している数値データをＩＤ番号として認識し、ステップＳ４０５を終了する。
【００８０】
ユーザが入力したＩＤ番号を認識したＣＰＵ２１は、そのＩＤ番号が、ＩＤ番号ファイル４０内のいずれかのＩＤ番号と一致しているか否かを、判断する(ステップＳ４０６）。そして、入力されたＩＤ番号が、ＩＤ番号ファイル４０内のいずれのＩＤ番号とも一致していなかった場合(ステップＳ４０６；ＮＯ）には、タッチスクリーン１２１に、所定時間、その旨を示すエラーメッセージを表示させる(ステップＳ４０７)。その後、ＣＰＵ２１は、ステップＳ４０４からの処理を再び実行する。
【００８１】
一方、入力されたＩＤ番号と一致するＩＤ番号がＩＤ番号ファイル４０に含まれていた場合(ステップＳ４０６；ＹＥＳ）、ＣＰＵ２１は、コピー操作受付モードでの動作を開始し、まず、ユーザにコピー条件を設定（選択）させるための種々のアイテム（ボタンやタブ）を備える基本操作画面が表示されるように、タッチスクリーン１２１等を制御する(ステップＳ４０８)。そして、ＣＰＵ２１は、操作装置１２に対する操作内容を監視して、ユーザの操作内容に応じた制御を行なう処理ループ（ステップＳ４０９及びＳ４１０）の実行を開始する。
【００８２】
この処理ループでは、ユーザの操作装置１２（主に、タッチスクリーン１２１）に対する操作内容に応じて、タッチスクリーン１２１に別の内容の画面を表示させる処理や、基本操作画面を再表示させる処理が行われて、コピー条件の設定／変更が行なわれる。そして、スタートボタン１２２が押下された際には、その時点におけるコピー条件に応じてスキャナ１３及びプリンタ１４が制御され、原稿のコピーが生成される。また、１枚のコピーが生成される度に、利用状況情報テーブルの利用状況情報が、それまで行なわれたコピーの内容（課金レベルコピー条件別のコピー枚数）を示すものに更新される。
【００８３】
ＣＰＵ２１は、ストップボタン１２３が押下されたことを検出した際(ステップＳ４０９；ストップボタン押下)に、ステップＳ４０９及びＳ４１０からなる処理ループを抜け出す。そして、ＣＰＵ２１は、コピー単価情報ファイル４１を参照して、利用状況情報テーブル内の利用状況情報に応じたコピー料金を算出し、その算出したコピー料金等を用いて、図１１に模式的に示したような、商品情報（コピーであることを示す情報）を表すバーコード７５とコピー料金を表すバーコード７６等が印刷された請求書を、プリンタ１４に出力させる(ステップＳ４１１)。
【００８４】
この後、ＣＰＵ２１は、ステップＳ４０３及びＳ４０４を再び実行することにより、利用状況情報テーブルを初期化し、タッチスクリーン１２１にＩＤ番号入力画面を表示する。そして、ＣＰＵ２１は、ステップＳ４０５において、ＩＤ番号の入力を待機する。
【００８５】
すなわち、第１実施形態に係るコピー装置１０は、以下のような形で運用できるものとなっている。
【００８６】
管理者（コンビニエンスストア等のオーナーや従業員）は、コピー装置１０を管理者モードで起動することにより、各課金レベルコピー条件でのコピーに課す料金の設定と、幾つかのＩＤ番号の設定とを行っておく。また、各レジ係員に、設定してあるＩＤ番号を知らせておく。なお、管理者は、不正な使用を防止するために、ＩＤ番号の設定に関しては、周期的に（例えば、１日毎に）行なうことが望ましい。
【００８７】
各レジ係員は、コピーを行いたい旨を申し出たユーザに対して、知らされているＩＤ番号の１つを教える。
【００８８】
ＩＤ番号を教えられたユーザは、そのＩＤ番号をコピー装置１０に入力する。この操作によりコピー装置１０は、通常の操作を受け付ける状態となるので、ユーザは、操作装置１２を操作することによって、所望のコピーをコピー装置１０に生成させる。そして、ユーザは、ストップボタン１２３を押下することにより、コピーの終了をコピー装置１０に通知する。ストップボタン１２３の押下を検出したコピー装置１０からは、バーコード７５、７６が印字された請求書が出力されるので、ユーザはその請求書をレジに持っていく。レジ係員は、請求書上のバーコード７５及び７６を、ＰＯＳ端末に付属のバーコードリーダで読み取り、コピー料金の支払いを受ける。また、必要である場合（ユーザが他の商品を購入していた場合）には、レジ係員は、他の商品のバーコードの読取も行い、コピー料金を含む料金の支払いを受ける。
【００８９】
このように、本実施形態に係るコピー装置１０で用いられている構成は、課金のための専用の機器を用いずに（プログラムを改良するだけで）、コピー料金を徴収できるものとなっている。従って、本構成を採用すれば、課金が行なえるコピー装置を安価に実現できることになる。また、コピー装置１０は、バーコードが印字された請求書を出力する機能を有するので、コンビニエンスストア等の、ＰＯＳ端末が既に存在している場所での使用に特に適したものとなっている。なお、コピー装置１０から出力される請求書には、コピー料金自体も印字されているので、本コピー装置１０は、ＰＯＳ端末を備えていない場所でも使用することができる装置となっている。
【００９０】
＜第２実施形態＞
第２実施形態に係るコピー装置は、第１実施形態に係るコピー装置１０を変形した装置であり、当該コピー装置１０と類似した部分を多く含む。このため、以下では、第１実施形態に係るコピー装置１０と異なる部分を中心に、第１実施形態のコピー装置１０の説明に用いた符号と同じ符号を用いて、第２実施形態に係るコピー装置１０の説明を行なうこととする。
【００９１】
図１２に、第２実施形態に係るコピー装置１０の構成を示す。図示したように、第２実施形態に係るコピー装置１０に用いられたコピー制御装置１１のＨＤＤ３０には、コピー単価情報ファイル４１は格納されているが、ＩＤ番号ファイル４０は格納されていない。ただし、コピー制御装置１１の動作時（詳細は後述）には、ＩＤ番号ファイル４０の代わりに使用されるＩＤ番号テーブル４２がＲＡＭ２３上に形成される。また、コピー制御装置１１には、イーサネットＬＡＮ用のネットワーク用Ｉ／Ｆボード２９が付加されている。そして、コピー装置１０は、コピー制御装置１１内のネットワーク用Ｉ／Ｆボード２９を介して幾つか（図では、１台）のＰＯＳ端末１００と接続された状態で使用される。
【００９２】
コピー装置１０に接続されるＰＯＳ端末１００は、イーサネットＬＡＮを利用したＴＣＰ／ＩＰ通信機能を有するＰＯＳ端末であり、所定の操作がなされた場合、コピー装置１０に対してＩＤ番号生成要求を送信し、当該要求に対する応答としてコピー装置１０が返送してくる情報（ＩＤ番号）を表示する機能が付加されている。
【００９３】
第２実施形態に係るコピー装置１０（コピー制御装置１１内のＣＰＵ２１）の基本的な動作手順は、第１実施形態に係るコピー制御装置１１のそれと同じものとなっている。ただし、第２実施形態に係るコピー装置１０は、管理者モードで起動することにより、図５，６を用いて説明したものと同じコピー単価情報設定処理と、ネットワークに関する設定（コピー制御装置１１のＩＰアドレスの設定）が行なえる環境設定処理とを実行させることができるように、構成されている。
【００９４】
また、第２実施形態に係るコピー装置１０は、通常の動作（詳細は後述）時、バックグラウンドで、図１３に示した手順の処理が実行されるように構成されている。すなわち、第２実施形態に係るコピー制御装置１１内のＣＰＵ２１は、常時、ＩＤ番号生成要求が受信されるのを監視している（ステップＳ５０１）。そして、ＩＤ番号生成要求を受信した際(ステップＳ５０１；ＹＥＳ）、ＣＰＵ２１は、ＩＤ番号をランダムに生成する(ステップＳ５０２)。次いで、ＣＰＵ２１は、生成したＩＤ番号を、ＲＡＭ２３上のＩＤ番号テーブル４２に追加する(ステップＳ５０３）。なお、ＩＤ番号テーブル４２の作成自体は、コピー装置１０の電源投入時に行われる。その後、ＣＰＵ２１は、その生成したＩＤ番号を、ＩＤ番号生成要求の送出元であるＰＯＳ端末１００（要求元）に返送(ステップＳ５０４)し、ステップＳ５０１に戻る。
【００９５】
そして、第２実施形態に係るコピー装置１０は、通常モードで起動されたとき、図１４に示した手順で動作するように構成されている。すなわち、ＣＰＵ２１は、ステップＳ６０１、Ｓ６０３〜Ｓ６０５、Ｓ６０７〜Ｓ６１１において、それぞれ、ステップＳ４０１、Ｓ４０３〜Ｓ４０５、Ｓ４０７〜Ｓ４１１（図９参照）と同じ内容の処理を行なう。そして、ＣＰＵ２１は、ステップＳ４０２（課金関連情報確認処理）に相当する処理を行わず（本装置内には、ＩＤ番号ファイル４０が存在しない）、ステップＳ４０６に相当するステップＳ６０６において、ＩＤ番号ファイル４０内ではなく、その時点におけるＩＤ番号テーブル４２内に、入力されたＩＤ番号と一致するＩＤ番号が存在しているか否かを判断する。また、請求書の印刷（ステップＳ６１１）が完了した際、ＣＰＵ２１は、ユーザによって入力されたＩＤ番号をＩＤ番号テーブル４２から消去する処理(ステップＳ６１２)を行ってから、ステップＳ６０３に戻る。
【００９６】
すなわち、第２実施形態に係るコピー装置１０は、以下のような形で運用できるものとなっている。
【００９７】
管理者（コンビニエンスストア等のオーナーや従業員）は、コピー装置１０を管理者モードで起動することにより、各課金レベルコピー条件でのコピーに課する料金の設定や、ＩＰアドレスの設定を行っておく。また、コピー装置１０に接続する各ＰＯＳ端末１００に、コピー装置１０のＩＰアドレスを設定する処理も行っておく。
【００９８】
そして、各レジ係員は、ユーザ（客）からコピーを行いたい旨を知らされた場合、所定の操作を行なうことにより、ＰＯＳ端末１００に、コピー装置１０に宛てたＩＤ番号生成要求を送信させる。ＩＤ番号生成要求を受信したコピー装置１０は、ＩＤ番号をランダムに生成し、生成したＩＤ番号を、ＩＤ番号テーブル４２に追加するとともに、ＩＤ番号生成要求の送信元に返送する。コピー装置１０からのこのＩＤ番号を受信したＰＯＳ端末１００は、そのＩＤ番号を表示するので、レジ係員は、そのＩＤ番号を、ユーザに教える。
【００９９】
ＩＤ番号を教えられたユーザは、そのＩＤ番号をコピー装置１０に入力する。このＩＤ番号は、ＩＤ番号テーブル４２に既に追加されているので、この操作により、コピー装置１０は、通常の操作を受け付ける状態となる。ユーザは、操作装置１２を操作することによって、所望のコピーをコピー装置１０に生成させる。そして、ユーザは、ストップボタン１２３を押下することにより、コピーの終了をコピー装置１０に通知する。ストップボタン１２３の押下を検出したコピー装置１０からは、バーコード７５、７６が印字された請求書（図１１）が出力されるので、ユーザはその請求書をレジに持っていく。なお、本コピー装置１０では、請求書の印刷が完了した際に、ユーザによって入力されたＩＤ番号がＩＤ番号テーブル４２から消去される。従って、本コピー装置１０では、この段階で、当該ＩＤ番号が無効化されることになる。すなわち、そのＩＤ番号を、再度、入力した場合、エラーメッセージが表示されることになる。
【０１００】
請求書が提示されたレジ係員は、請求書上のバーコード７５及び７６を、ＰＯＳ端末１００に付属のバーコードリーダで読み取り、コピー料金の支払いを受ける。また、必要である場合（ユーザが他の商品を購入していた場合）、レジ係員は、他の商品のバーコードの読取も行い、コピー料金を含む料金の支払いを受ける。
【０１０１】
このように、本実施形態に係るコピー装置１０で用いられている構成は、第一実施形態に係るコピー装置１０と同様に、課金のための専用の機器を用いずに、コピー料金を徴収できるものとなっている。従って、本構成を採用すれば、課金が行なえるコピー装置を安価に実現できることになる。また、第２実施形態に係るコピー装置１０は、ＩＤ番号の設定作業を管理者が行なう必要がない分、第１実施形態に係るコピー装置１０よりもその運用が容易に行なえるものとなっている。さらに、ＩＤ番号の有効期間が短い装置となっているので、不正に利用することが、第１実施形態に係るコピー装置１０よりも、行ないにくい装置ともなっている。
【０１０２】
＜第３実施形態＞
本発明の第３実施形態に係るコピー装置は、コピー料金の徴収が、所定期間毎に行われる場所（例えば、オフィス）に設置されることを想定した装置である。
【０１０３】
第３実施形態に係るコピー装置も、第１実施形態に係るコピー装置１０を変形した装置であり、当該コピー装置１０と類似した部分を多く含む。このため、以下では、第１実施形態に係るコピー装置１０と異なる部分を中心に、第１実施形態のコピー装置１０の説明に用いた符号と同じ符号を用いて、第３実施形態に係るコピー装置１０の説明を行なうこととする。
【０１０４】
第３実施形態に係るコピー装置１０は、第１実施形態に係るコピー装置１０（図２参照）と同じハードウェア構成を有する。ただし、第３実施形態に係るコピー装置１０に含まれるコピー制御装置１１のＨＤＤ３０内には、ＩＤ番号ファイル４０の代わりに、利用状況管理ファイルが格納されている。図１５に模式的に示したように、利用状況管理ファイル４５は、複数のＩＤ番号のそれぞれに対して、集計期間（“３月”、“４月”）別に、対応するＩＤ番号を入力したユーザによる利用状況情報（課金レベルコピー条件別のコピー枚数からなる情報）を記憶するためのファイルとなっている。
【０１０５】
そして、コピー制御装置１１内のＣＰＵ２１は、管理者モードで起動された場合、図１６に示した手順の処理を実行する。
【０１０６】
まず、ＣＰＵ２１は、状態診断処理(ステップＳ７０１)を実行する。このステップＳ７０１で行われる状態診断処理は、ステップＳ４０１等で行われる状態診断処理と同じものである。次いで、ＣＰＵ２１は、図１７に示した課金情報設定画面をタッチスクリーン１２１に表示させる(ステップＳ７０３)。すなわち、ＣＰＵ２１は、コピー装置１０の管理者によって、ＩＤ番号登録処理、コピー単価設定処理、集計処理、環境設定処理の実行指示、あるいは、課金情報設定処理の終了指示が出せる課金情報設定画面を表示させる。
【０１０７】
その後、ＣＰＵ２１は、管理者から指示が入力される（処理が割り当てられている数値キーが押下される）のを待機する(ステップＳ７０３)。そして、ＣＰＵ２１は、ＩＤ番号登録処理の実行が指示された場合(ステップＳ７０４；番号登録）には、ＩＤ番号登録処理(ステップＳ７０５)を実行した後に、ステップＳ７０２に戻る。
【０１０８】
このステップＳ７０５では、図７及び図８を用いて説明したＩＤ番号登録処理と同様の手順の処理が、ＩＤ番号ファイル４０内ではなく、利用状況管理ファイル４１内に設定されているＩＤ番号群に対して行われる。すなわち、ステップＳ７０５で実行されるＩＤ番号登録処理は、管理者からの指示によって、利用状況管理ファイル４５内に既に存在しているＩＤ番号を変更したり、利用状況管理ファイル４５を、新たなＩＤ番号に関する利用状況情報を記憶できるものへ変更する処理となっている。
【０１０９】
コピー単価設定処理の実行が指示された場合(ステップＳ７０４；単価設定）、ＣＰＵ２１は、図５及び図６を用いて説明した処理と同内容のコピー単価設定処理(ステップＳ７０６)を実行した後に、ステップＳ７０２に戻る。
【０１１０】
また、ＣＰＵ２１は、集計処理の実行が指示された場合(ステップＳ７０４；集計)、各種フォーマットの使用料金表の出力、及び、不要となった利用状況情報の削除を行なうための集計処理(ステップＳ７０７)を実行する。この処理の詳細については説明を省略するが、集計処理は、管理者によって指定された、ＩＤ番号と集計期間とに基づいて、そのＩＤ番号が用いられてその集計期間中に行なわれたコピーに関するコピー料金が印字された使用料金表（図１１に示したようなもの）を出力させ、また、管理者によって指定された集計期間中に行なわれたコピーに関するコピー料金がＩＤ番号別に印字された使用料金表を出力させ、さらに、不要となった任意の利用状況情報を削除させる処理となっている。
【０１１１】
集計期間設定処理の実行が指示された場合(ステップＳ７０４；期間設定)、ＣＰＵ２１は、管理者によって、集計期間の設定（各集計期間の初日と末日の設定）が行なわれる集計期間設定処理(ステップＳ７０８)を実行する。なお、この処理は、利用状況情報ファイル４５内に利用状況情報が記憶されていないときにのみ実行できるものとなっている。
【０１１２】
そして、第３実施形態に係るコピー制御装置１１内のＣＰＵ２１は、通常モードで起動された際には、図１８に示したように、第１実施形態に係るコピー制御装置１１内のＣＰＵ２１（図９参照）と、本質的には同じ手順の制御を行なう。
【０１１３】
ただし、第３実施形態に係るコピー制御装置１１内のＣＰＵ２１は、ステップＳ４０６等に相当するステップＳ８０６において、ユーザによって入力されたＩＤ番号と一致するＩＤ番号が利用状況管理ファイル４５内に存在しているか否かを判断する。また、ＣＰＵ２１は、ステップＳ４０３相当の処理（利用状況情報テーブルの初期化）を行わず、コピーが行なわれた際には、ステップＳ８０９において、利用状況管理ファイル４５内の、現ユーザ（入力ＩＤ番号）についての現集計期間に関する利用状況情報を、行なわれたコピーの課金レベルコピー条件に応じて変更する。
【０１１４】
このように、本実施形態に係るコピー装置１０で用いられている構成は、課金のための専用の機器を用いずに、所定期間毎に、各ユーザ（同じＩＤ番号を知っている複数のユーザからなるグループ）からコピー料金を徴収できるものとなっている。
【０１１５】
＜第４実施形態＞
本発明の第４実施形態に係るコピー装置は、コンビニエンスストア等、ＰＯＳ(point-of-sale)端末が用いられた場所に設置されることを想定した装置である。
【０１１６】
第４実施形態に係るコピー装置も、第１実施形態に係るコピー装置１０を変形した装置であるため、以下では、第１実施形態に係るコピー装置１０と動作が異なる部分を中心に、第１実施形態の説明時と同じ符号を用いて、第４実施形態に係るコピー装置１０を説明することにする。
【０１１７】
第４実施形態に係るコピー装置１０は、第１実施形態に係るコピー装置１０（図２参照）と同じハードウェア構成を有し、ＨＤＤ３０内には、ＩＤ番号ファイル４０とコピー課金情報ファイル４１とが格納されている。また、第４実施形態に係るコピー装置１０（コピー制御装置１１内のＣＰＵ２１）も、第１実施形態に係るコピー装置１０と同様に、管理者モードで起動された場合に、コピー単価情報設定処理とＩＤ番号登録処理とが実行可能となる。
【０１１８】
第４実施形態に係るコピー装置１０にて実行されるコピー単価情報設定処理は、第１実施形態に係るコピー装置１０にて実行されるコピー単価情報設定処理と同じものである。ただし、第４実施形態に係るコピー装置１０にて実行されるＩＤ番号登録処理では、ＩＤ番号ファイル４０内に設定されている任意の（管理者が指定した）ＩＤ番号について、図１９に示したような、ＩＤ番号を表す部分と課金用紙識別情報（コピー課金用紙であることを示す情報）を表す部分とからなるバーコード７８が印字されたコピー課金用紙８０の印刷を行うことができる。なお、コピー課金用紙８０上のバーコード７８′は、バーコード７８と同じものである。
【０１１９】
そして、第４実施形態に係るコピー装置１０では、通常モードで起動された場合、ＣＰＵ２１によって、図２０に示した手順の制御が行われる。
【０１２０】
すなわち、コピー装置１０の電源が単純に投入された場合、コピー装置１０（コピー制御装置１１内のＣＰＵ２１）は、まず、状態診断処理(ステップＳ９０１）を実行する。このステップＳ９０１で行われる状態診断処理は、ステップＳ４０１等で行われている状態診断処理と同じものである。
【０１２１】
次いで、ＣＰＵ２１は、利用状況情報を記憶するための利用状況情報テーブルを初期化する(ステップＳ９０２)。そして、コピー課金用紙８０をレジ係員等から借りてそのコピーを行なうことを指示するメッセージを、タッチスクリーン１２１に表示させる(ステップＳ９０３）。
【０１２２】
その後、ＣＰＵ２１は、スタートボタン１２２の押下を待機(ステップＳ９０４)し、スタートボタン１２２が押下されたとき(ステップＳ９０４；ＹＥＳ)、スキャナ１３に、原稿台にセットされている原稿を、所定量（原稿がコピー課金用紙であった場合、原稿がセットされた方向によらず、バーコード７８或いは７８′が読み込まれることになる量）、読み込ませる(ステップＳ９０５)。そして、スキャナ１３によって生成された画像データに基づき、原稿がコピー課金用紙８０であるか否かを判断する(ステップＳ９０６)。このステップＳ９０６において、ＣＰＵ２１は、所定部分が課金用紙識別情報を表しており、残りの部分が表している数値がＩＤ番号ファイル４０内のいずれかのＩＤ番号と一致しているバーコードが存在している原稿を、コピー課金用紙８０であると認識する。
【０１２３】
そして、原稿がコピー課金用紙でなかった場合(ステップＳ９０６；ＮＯ）には、タッチスクリーン１２１に、所定時間、その旨を示すエラーメッセージを表示(ステップＳ９０７)させた後、ステップＳ９０３からの処理を再び実行する。
【０１２４】
一方、原稿がコピー課金用紙であった場合(ステップＳ９０６；ＹＥＳ）、ＣＰＵ２１は、ステップＳ４０８〜Ｓ４１１と同じ内容の処理を、ステップ９０８〜Ｓ９１１において行なう。すなわち、ユーザにコピー条件を設定（選択）させるための種々のアイテムを備える基本操作画面を、タッチスクリーン１２１に表示させる(ステップＳ９０８)。そして、ＣＰＵ２１は、ユーザの操作内容に応じたコピーを行い（ステップＳ９０９及びＳ９１０）、ストップボタン１２３が押下されたことを検出した際(ステップＳ９０９；ストップボタン押下)に、利用状況情報テーブル及びコピー単価情報ファイル内の情報に基づき、コピー料金を算出し、商品情報及びコピー料金を示す２つのバーコード等が印刷された請求書（図１１参照）を、プリンタ１４に出力させる(ステップＳ９１１)。
【０１２５】
この後、ＣＰＵ２１は、ステップＳ９０２、Ｓ９０３を再び実行することにより、利用状況情報テーブルが初期化されており、タッチスクリーン１２１に、操作法に関するメッセージが表示されている状態で、スタートボタン１２２の押下を待機する。
【０１２６】
すなわち、第４実施形態に係るコピー装置１０は、以下のような形態で運用できるものとなっている。
【０１２７】
管理者（コンビニエンスストア等のオーナーや従業員）は、コピー装置１０を管理者モードで起動することにより、各課金レベルコピー条件でのコピーに課する料金の設定と、幾つかのＩＤ番号の設定及び設定した各ＩＤ番号に関するコピー課金用紙８０の印刷とを行っておく。そして、各レジ係員に、コピー課金用紙８０を分配しておく。
【０１２８】
各レジ係員は、コピーを行いたい旨を申し出たユーザに対して、予め用意されているコピー課金用紙８０を渡す。
【０１２９】
コピー課金用紙８０を渡されたユーザは、そのコピー課金用紙８０をスキャナ１３の原稿台にセットし、スタートボタン１２２を押下する。この操作によりコピー装置１０は、通常の操作を受け付ける状態となるので、ユーザは、操作装置１２を操作することによって、所望のコピーをコピー装置１０に生成させる。そして、ユーザは、ストップボタン１２３を押下することにより、コピーの終了をコピー装置１０に通知する。ストップボタン１２３の押下を検出したコピー装置１０からは、請求書が出力されるので、ユーザはその請求書とコピー課金用紙８０とをレジに持っていく。レジ係員は、コピー課金用紙８０を回収するとともに、請求書上のバーコード７５及び７６を、ＰＯＳ端末に付属のバーコードリーダで読み取り、コピー料金の支払いを受ける。また、必要である場合（ユーザが他の商品を購入していた場合）、レジ係員は、他の商品のバーコードの読取も行い、コピー料金を含む料金の支払いを受ける。
【０１３０】
このように、第４実施形態に係るコピー装置１０で用いられている構成は、課金のための専用の機器を用いずに、コピー料金を徴収できるものとなっている。また、コピー課金用紙８０をセットしてスタートボタン１２２を押すといった作業を行なうだけでコピーが可能な状態となるように構成されているので、本実施形態に係るコピー装置１０は、第１実施形態に係るコピー装置１０よりも取り扱いが容易な装置となっている。また、コピー課金用紙８０が無ければコピーが行なえる状態を形成できないので、コピー課金用紙８０の管理をしっかり行なうとともに、ＩＤ番号（コピー課金用紙８０）を周期的に変更すれば、不正な使用が行なわれにくい形態で、本コピー装置１０を運用できることになる。
【０１３１】
＜変形形態＞
各実施形態に係るコピー装置１０は、各種の変形を行なうことができる。例えば、バーコードが印字されていない請求書が印刷されるように、第１、第２或いは第４実施形態に係るコピー装置１０を、変形しても良い。換言すれば、コンビニエンスストア等ではなく、図書館等、バーコードリーダを備えた機器がない場所で使用する場合には、コピー装置１０を、バーコードが印字されていない請求書を出力する装置とすることができる。
【０１３２】
また、第２実施形態のコピー装置１０を、ＰＯＳ端末１００ではなく、一般的なコンピュータに接続して使用しても良い。さらに、第２実施形態として説明したコピー装置１０とＰＯＳ端末１００からなるシステムは、コピー装置１０側でＩＤ番号が生成されるシステムであったが、ＰＯＳ端末１００側でＩＤ番号が生成され、そのＩＤ番号がコピー装置１０に通知されるようにしておいても良い。
【０１３３】
また、第１〜第３実施形態に係るコピー装置１０は、ＩＤ番号の入力にテンキー部１２４が用いられる装置であったが、タッチスクリーン１２１にソフトウェアキーボード画面を表示させ、各実施形態と同様のＩＤ番号（或いは数字以外の情報を含むＩＤ番号相当の情報）の入力が、タッチスクリーン１２１を介して行われるようにコピー装置１０を構成しても良い。また、各実施形態に係るコピー装置１０は、スキャナ１３及びプリンタ１４と、それらを制御するためのコピー制御装置１１及び操作装置１２とからなる装置であったが、専用のコピー機に、各実施形態のコピー装置１０で用いられている技術を適用しても良いことは当然である。
【０１３４】
また、第４実施形態に係るコピー装置１０は、ＩＤ番号に関する情報を含むバーコード７８を有するコピー課金用紙８０を用いる装置であったが、第４実施形態に係るコピー装置１０は、ＩＤ番号に関する情報を含まない、固定内容のバーコードを有するコピー課金用紙８０を用いる装置とすることもできる。
【０１３５】
【発明の効果】
本発明によれば、課金が行なえるコピー装置を、安価に実現することができる。
【図面の簡単な説明】
【図１】  本発明の第１実施形態に係るコピー装置の外観図である。
【図２】  第１実施形態に係るコピー装置のハードウェア構成図である。
【図３】  第１実施形態に係るコピー装置の、管理者モードで起動されたときの動作手順を示した流れ図である。
【図４】  第１実施形態に係るコピー装置のタッチスクリーンに表示される課金情報設定画面の説明図である。
【図５】  第１実施形態に係るコピー装置において実行されるコピー単価設定処理の流れ図である。
【図６】  コピー単価設定処理時に表示されるコピー単価設定画面の説明図である。
【図７】  第１実施形態に係るコピー装置において実行されるＩＤ番号登録処理の流れ図である。
【図８】  ＩＤ番号登録処理時にタッチスクリーンに表示されるＩＤ番号登録画面の説明図である。
【図９】  第１実施形態に係るコピー装置の、通常モードで起動されたときの動作手順を示した流れ図である。
【図１０】  第１実施形態に係るコピー装置のタッチスクリーンに表示されるＩＤ番号入力画面の説明図である。
【図１１】  第１実施形態に係るコピー装置が出力する請求書の説明図である。
【図１２】  本発明の第２実施形態に係るコピー装置のハードウェア構成図である。
【図１３】  第２実施形態に係るコピー装置において、バックグラウンドで行われる処理の流れ図である。
【図１４】  第２実施形態に係るコピー装置の、通常モードで起動されたときの動作手順を示した流れ図である。
【図１５】  第２実施形態に係るコピー装置が備える利用状況管理テーブルの説明図である。
【図１６】  本発明の第３実施形態に係るコピー装置の、管理者モードで起動されたときの動作手順を示した流れ図である。
【図１７】  第３実施形態に係るコピー装置のタッチスクリーンに表示される課金情報設定画面の説明図である。
【図１８】  第３実施形態に係るコピー装置の、通常モードで起動されたときの動作手順を示した流れ図である。
【図１９】  本発明の第４実施形態に係るコピー装置を操作可能な状態とするために用いられるコピー課金用紙の説明図である。
【図２０】  第４実施形態に係るコピー装置の、通常モードで起動されたときの動作手順を示した流れ図である。
【符号の説明】
１０  コピー装置
１１  コピー制御装置
１２  操作装置
１３  スキャナ
１４  プリンタ
１５  専用キャビネット
２１  ＣＰＵ
２２  ＲＯＭ
２３  ＲＡＭ
２４  ブリッジ
２５  ＨＤＤコントローラ
２６  操作パネル用Ｉ／Ｆボード
２７  スキャナ用Ｉ／Ｆボード
２８  プリンタ用Ｉ／Ｆボード
３０  ＨＤＤ（ハードディスクドライブ）
４０  ＩＤ番号ファイル
４１  コピー単価情報ファイル
４２  ＩＤ番号テーブル
４５  利用状況管理ファイル
５０  コピー単価設定画面
６０  ＩＤ番号登録画面
７０  ＩＤ番号入力画面
８０  コピー課金用紙
１２１  タッチスクリーン
１２２  スタートボタン
１２３  ストップボタン
１２４  テンキー部
【図１】
0003873572.tif 000002
【図２】
0003873572.tif 000003
【図３】
0003873572.tif 000004
【図４】
0003873572.tif 000005
【図５】
0003873572.tif 000006
【図６】
0003873572.tif 000007
【図７】
0003873572.tif 000008
【図８】
0003873572.tif 000009
【図９】
0003873572.tif 000010
【図１０】
0003873572.tif 000011
【図１１】
0003873572.tif 000012
【図１２】
0003873572.tif 000013
【図１３】
0003873572.tif 000014
【図１４】
0003873572.tif 000015
【図１５】
0003873572.tif 000016
【図１６】
0003873572.tif 000017
【図１７】
0003873572.tif 000018
【図１８】
0003873572.tif 000019
【図１９】
0003873572.tif 000020
【図２０】
0003873572.tif 000021